(57)【要約】【課題】    木材の風合いを長期に亘り維持し、加えて断熱性や防音性を高めて保つことができ、更に美観や意匠性を向上させることができる建築用パネルを提供することを課題とする。【解決手段】  スペーサー部１４ａを備えた連結ビス１４を用いて空間Ｓを設けて木製板材３にガラス製板材２を添設して建築用パネル１５を構成する。更に、ガラス製板材２に紫外線や熱線を反射あるいは吸収して耐候性を向上させるフィルム１６を貼着する。【選択図】図６
0003208714.tif 000002
【実用新案登録請求の範囲】
【請求項１】
木製板材にガラス製板材を添設したものである建築用パネル。
【請求項２】
木製板材とガラス製板材との間に空間を備えたものである請求項１に記載の建築用パネル。
【請求項３】
ガラス製板材にフィルムを貼着したものである請求項１または請求項２のいずれかに記載の建築用パネル。
【請求項４】
木製板材とガラス製板材との間にガスを封入したものである請求項１乃至請求項３のいずれかに記載の建築用パネル。
【請求項５】
木製板材とガラス製板材との間に封止材を備えたものである請求項１または請求項４のいずれかに記載の建築用パネル。
【請求項６】
木製板材にコンクリート製板材を添設したものである請求項１乃至請求項５のいずれかに記載の建築用パネル。
【考案の詳細な説明】
【技術分野】
【０００１】  本考案は、木製板材にガラス製板材を添設した建築用パネルに関するものである。
より詳しくは主に建築物の壁を構成あるいは装飾する建築用パネルについて、木製板材にガラス製板材を添設することにより、耐久性、断熱性、防音性、そして美観や意匠性など種々の性能や特性を向上させることができる建築用パネルの構成に関するものである。
【背景技術】
【０００２】  木材は軽く加工し易く断熱性や防音性なども備え、優れた建築材料として古来より多く用いられており、また、その独特の風合いの魅力には普遍的な価値がある。そのため壁や床や天井、あるいは柱や梁、更には戸や扉など、実に多種多様な利用が見られる汎用的な建築材料である。近年は鉄やコンクリートや合成樹脂などから成る建築材料も多く使用されているが、やはり天然の木材が持つ美観や存在感には根強い愛着と需要がある。【０００３】  しかしながら、木材には経年変化という短所がある。時間が経つにつれて風合いが損なわれ、日に焼ければ変色し、湿気や水を含めば様相が荒れ、カビや雑菌が繁殖すれば朽ちていく。その変化もまた一興とする向きもあるが、やはり当初の風合いや美観の魅力を尊び重んじる思いから、様々な耐久性向上のための工夫がなされてきた。カビや雑菌に対しては予め燻蒸を施したり防腐剤や殺菌剤などを含浸させたり、水や日焼けに対しては耐水性や耐候性を高めるための塗装を施すなどが一般的である。
特に、外壁に用いた木材は日光による紫外線や熱線、雨や露などの水や湿気、空気中のカビや雑菌、更には埃や排気ガスなど、極めて過酷な環境に晒されることから、耐候性や防水性あるいは抗菌性の塗装を施している。
しかし、この塗装については寿命がせいぜい５年〜６年程度であり、少なくとも１０年以内には再塗装やメンテナンスが必要となるものであり、そのコストや手間について何らかの有効な対策が切に求められていた。
【考案の概要】
【考案が解決しようとする課題】
【０００４】  本考案は上述したような現状に鑑みて成されたものであり、天然の木材の風合いを長期に亘り維持し、加えて断熱性や防音性を高めて保つことができ、更に美観や意匠性を向上させることができる建築用パネルを提供することを課題とするものである。
【課題を解決するための手段】
【０００５】  上記のような課題を解決するために、本考案の建築用パネルは木製板材にガラス製板材を添設した構造を基本とするものである。また、木製板材とガラス製板材との間に空間を備えるほか、ガラス製板材にフィルムを貼着したり、木製板材とガラス製板材の間にガスを封入したり、木製板材とガラス製板材との間に封止材を備えるものである。更に、木製板材にコンクリート製板材を添設するものである。
【考案の効果】
【０００６】  本考案の建築用パネルは、このような構成としたことにより木材を長期的に強力に保護することができる。更に、ガラスの持つ透明感や光沢を加味して風合いや意匠性を相乗的に一層高めることができる。また、断熱性や防音性を向上させることができる。そして、後述のフィルムやガスあるいは封止材などにより、紫外線や熱線に対する耐候性、振動や衝撃に対する強靭性、水や湿気に対する防水性、カビや雑菌に対する抗菌性などを飛躍的に高めることができる。
【図面の簡単な説明】
【０００７】
【図１】  本考案の実施例を示す断面図である。
【図２】  本考案の他の実施例を示す断面図である。
【図３】  本考案の別の実施例を示す断面図である。
【図４】  本考案の別の実施例を示す断面図である。
【図５】  本考案の別の実施例を示す断面図である。
【図６】  本考案の別の実施例を示す断面図である。
【図７】  本考案の別の実施例を示す断面図である。
【図８】  本考案の別の実施例を示す断面図である。
【考案を実施するための最良の形態】
【０００８】
【実施例】
【０００９】  本考案の実施例を以下、図面に基づいて説明する。尚、各図において共通する部分には同一の符号を付し重複する説明は省略する。
図１は本考案の建築用パネルの実施例を示す断面図であり、木製板材３にガラス製板材２を丸ビス４により添設して建築用パネル１を構成したものである。このようにビス止めする際には金属製あるいは樹脂製のワッシャ５を使用することが好ましい。
このような構成とすることにより、木材の持つ独特の美観にガラスの持つ透明感や光沢を加味して風合いや意匠性を相乗的に一層高めることができる。【００１０】  図２は本考案の他の実施例を示す断面図であり、木製板材３にガラス製板材２を接着剤７により添設して建築用パネル６を構成したものである。接着剤７は透明や半透明のものが好ましく、また、木材への浸透性に優れ、更に硬化後も一定の柔軟性のあるものが好適である。
このような構成とすることにより、木製板材３とガラス製板材２との密着を高め両者間への一切の侵入を防止することができ、極めて高い耐久性を得ることができる。【００１１】  図３は本考案の別の実施例を示す断面図であり、サッシ状金具９をビス１０にて木製板材３に固定して木製板材３にガラス製板材２を添設して建築用パネル８を構成したものである。サッシ状金具はこの例に限らず、例えば断面コの字状など様々な形状とすることができ、ビス止め以外にも例えば接着剤にて固定することも可能である。
このようにサッシ状金具を用いれば木製板材３およびガラス製板材２の端面部を保護することができ好都合である。【００１２】  図４は本考案の別の実施例を示す断面図であり、スペーサー１２を接着剤７にて木製板材３とガラス製板材２の各々に接着し、空間Ｓを設けて木製板材３にガラス製板材２を添設して建築用パネル１１を構成したものである。
このような構成とすることにより、透明なガラス製板材２と空間Ｓの作用で木材の持つ独特の風合いが奥行きのあるものになり、木目や質感による美観が一層高まり意匠性が向上するものである。また、空間Ｓの存在により断熱性や防音性を飛躍的に向上させることができる。
そして、空間Ｓには各種のガスを封入することができ、例えば乾燥空気や窒素ガスなどを封入すれば防湿性を高めることができ、殺菌剤や微生物の忌避剤などをガス化した気体を封入すればカビの発生や雑菌による腐朽を防ぐことができる。
このガスの封入については、木製板材３とガラス製板材２あるいは後述の封止材１８とが略密着した状態であっても、木製板材３の表面の微細な凹凸を利用して各種のガスを封入することができる。その際には木製板材３とガラス製板材２あるいは後述の封止材１８の端面部あるいは周縁部を既知の手段でシールすることが好ましい。【００１３】  図５は本考案の別の実施例を示す断面図であり、スペーサー部１４ａを備えた連結ビス１４を用いて空間Ｓを設けて木製板材３にガラス製板材２を添設して建築用パネル１３を構成したものである。
このような構成とすることにより、例えば室内や建築物内のように空調が管理され湿度が高くなく雑菌も少ないなど比較的に環境の良い場所においては、簡便に施工して上述のような空間Ｓを設けることによる作用効果を得ることができ好適である。【００１４】  図６は本考案の別の実施例を示す断面図であり、図５に示す実施例に加えてガラス製板材２にフィルム１６を貼着したものである。フィルム１６は特に日光による紫外線や熱線を反射あるいは吸収して緩和し耐候性を向上させるものが好ましい。
尚、フィルム１６の貼着については、この実施例に限らず全ての実施例において実施することができる。【００１５】  図７は本考案の別の実施例を示す断面図であり、木製板材３とガラス製板材２との間に封止材１８を備えて木製板材３にガラス製板材２を添設して建築用パネル１７を構成したものである。封止材１８は単にスペーサーとしてではなく、更に種々の機能を持たせることが好ましく、ゾル状やゲル（ジェル）状の材料あるいは柔軟性樹脂などを用いることにより密着性や密封性を高めると共に、振動や衝撃に対する吸収性を備えることができる。更に、紫外線や熱線を反射あるいは吸収して耐候性を高める反射剤や吸収剤、カビや雑菌に対する殺菌剤や抗菌剤、防音効果を高める吸音剤や遮音剤、断熱効果を高める断熱剤などを含むものとすることも好ましい。また、これらを併せて複合的な機能を有するものとすることも好適である。【００１６】  図８は本考案の別の実施例を示す断面図であり、図２に示す実施例と同様に木製板材３にガラス製板材２を接着剤７により添設し、更に木製板材３にコンクリート製板材２０を接着剤７により添設して建築用パネル１９を構成したものである。
このような構成とすることにより、木材独特の美観や意匠性、耐久性、断熱性、防音性などを併せ備えた建築物の壁自体を構築することが容易に可能となり、更に耐力壁を構成することも可能となる。コンクリート製板材２０については各種コンクリートのほか発泡コンクリートとすることも可能である。
尚、このように木製板材３にコンクリート製板材２０を添設することについては、この実施例に限らず全ての実施例において実施することができ、また、その手段については、接着剤７以外にも例えばボルトやビスあるいは何らかの金具など既知の手段を用いることができる。【００１７】  上記の各実施例においては、木製板材３について単板を図示して説明したが、これに限らず合板あるいは平行型や直交型の集成材でも本考案の建築用パネルを構成することができる。特に集成材を用いた場合には、その厚さ寸法により建築物の壁の装飾的使用に留まらず壁自体の構築も可能となる。また、ガラス製板材２については、一般的なガラス素材のほか各種の合成樹脂製の板材とすることも可能である。更にガラス製板材２やフィルム１６あるいは封止材１８などを半透明の着色を施したものとすることも可能であり、美観や意匠性を更に高めて好適である。
【産業上の利用可能性】
【００１８】  本考案の建築用パネルは以上の説明の如き内容のものであり、天然の木材が持つ独特の風合いを長期に亘り維持し、加えて断熱性や防音性を高めて保つことができ、更に美観や意匠性を向上させることができるものである。普遍的な価値のある木材の風合いにガラスの透明感や光沢を加味した意匠性や存在感は絶大なものがあり、これが長期に亘り維持されることは建築物全体の価値をも高めるものである。また、保守やメンテナンスについてはガラス表面の清浄作業程度であり、長期的なランニングコストは至って低廉である。
木造あるいは木質を活かした建築は日本の文化において愛着ある象徴的なものであり、近代建築が席巻する流れの一角に於いて、木質の魅力を高めて維持し活用することは優れて価値あるものである。
【符号の説明】    １、６、８、１１、１３、１５、１７、１９  …  建築用パネル
２                                        …  ガラス製板材
３                                        …  木製板材
１６                                      …  フィルム
１８                                      …  封止材
２０                                      …  コンクリート製板材
Ｓ                                        …  空間
【図１】
0003208714.tif 000003
【図２】
0003208714.tif 000004
【図３】
0003208714.tif 000005
【図４】
0003208714.tif 000006
【図５】
0003208714.tif 000007
【図６】
0003208714.tif 000008
【図７】
0003208714.tif 000009
【図８】
0003208714.tif 000010